(57)【要約】【課題】画像精度低下の要因となる天板の撓み量を求めることができる医用画像撮影装置を提供する。【解決手段】医用画像撮影装置１Ａにおいて、被検体が載置される天板５を有する寝台２と、天板５上の被検体に対し、医用画像を撮影する撮影動作を行う撮影部３と、天板５に設けられ、天板５の撓み量Ｔに応じて抵抗値が変化する抵抗体７と、抵抗体７の抵抗値を測定する測定部９とを備える。【選択図】図１
2008036205.tif 000002
【特許請求の範囲】
【請求項１】
被検体が載置される天板を有する寝台と、
前記天板上の被検体に対し、医用画像を撮影する撮影動作を行う撮影部と、
前記天板に設けられ、前記天板の撓み量に応じて抵抗値が変化する抵抗体と、
前記抵抗体の抵抗値を測定する測定部と、
を備えることを特徴とする医用画像撮影装置。
【請求項２】
測定した前記抵抗値に対応する前記天板の撓み量に基づいて、前記撮影部により撮影された前記医用画像を位置補正する補正部を備えることを特徴とする請求項１記載の医用画像撮影装置。
【請求項３】
前記天板は、水平方向に移動可能に形成されており、
前記抵抗体は、前記天板の端部から前記天板の移動方向に沿って伸びる第１線部と、折り返されて前記移動方向に沿って伸び、前記第１線部に対する離間距離が徐々に変化する第２線部とにより構成されていることを特徴とする請求項１又は２記載の医用画像撮影装置。
【請求項４】
前記抵抗体は、前記天板の内部に設けられていることを特徴とする請求項１、２又は３記載の医用画像撮影装置。
【請求項５】
被検体が載置される天板を有する寝台と、
前記天板上の被検体に対し、放射線を照射する治療動作を行う治療部と、
前記天板に設けられ、前記天板の撓み量に応じて抵抗値が変化する抵抗体と、
前記抵抗体の抵抗値を測定し、前記天板の撓み量を求める測定部と、
を備えることを特徴とする放射線治療装置。
【請求項６】
測定した前記抵抗値に対応する前記天板の撓み量に基づいて、医用画像を位置補正する補正部を備えることを特徴とする請求項５記載の放射線治療装置。
【請求項７】
前記天板は、水平方向に移動可能に形成されており、
前記抵抗体は、前記天板の端部から前記天板の移動方向に沿って伸びる第１線部と、折り返されて前記移動方向に沿って伸び、前記第１線部に対する離間距離が徐々に変化する第２線部とにより構成されていることを特徴とする請求項５又は６記載の放射線治療装置。
【請求項８】
前記抵抗体は、前記天板の内部に設けられていることを特徴とする請求項５、６又は７記載の放射線治療装置。
【発明の詳細な説明】
【技術分野】
【０００１】
本発明は、医用画像撮影装置及び放射線治療装置に関する。
【背景技術】
【０００２】
医用機器として、医用画像を撮影する医用画像撮影装置や放射線による治療を行う放射線治療装置等が開発されている。また、医用画像撮影装置としては、例えば、Ｘ線ＣＴ装置（Ｘ線断層撮影装置）やＸ線透視撮影装置等が提案されている（例えば、特許文献１参照）。
【０００３】
このような医用機器は、被検体が載置される天板を有する寝台や、被検体に対する撮影又は治療を行う装置等を備えている。寝台の天板は片持ち構造や両持ち構造等により支持されており、片持ち構造の天板は水平方向に移動可能に形成されている。
【特許文献１】特開平９−５６７１１号公報
【発明の開示】
【発明が解決しようとする課題】
【０００４】
しかしながら、前述のような天板は、被検体が載置されると、その荷重により撓んでしまう。特に、片持ち構造の天板を用いた場合には、その天板の撓み量が両持ち構造の天板に比べて大きくなってしまう。また、天板の撓み量は、天板がせり出し方向に移動する移動量に応じて増加してしまう。このような天板の撓みにより、被検体の体軸が傾くため、正確な断層画像を得ることが困難になり、画像精度が低下してしまう。さらに、画像精度が低下した断層画像を治療計画画像として用いるため、治療精度も低下してしまう。
【０００５】
本発明は、上記に鑑みてなされたものであり、その目的は、画像精度低下の要因となる天板の撓み量を求めることができる医用画像撮影装置及び放射線治療装置を提供することである。
【課題を解決するための手段】
【０００６】
本発明の実施の形態に係る第１の特徴は、医用画像撮影装置において、被検体が載置される天板を有する寝台と、天板上の被検体に対し、医用画像を撮影する撮影動作を行う撮影部と、天板に設けられ、天板の撓み量に応じて抵抗値が変化する抵抗体と、抵抗体の抵抗値を測定する測定部とを備えることである。
【０００７】
本発明の実施の形態に係る第２の特徴は、放射線治療装置において、被検体が載置される天板を有する寝台と、天板上の被検体に対し、放射線を照射する治療動作を行う治療部と、天板に設けられ、天板の撓み量に応じて抵抗値が変化する抵抗体と、抵抗体の抵抗値を測定し、天板の撓み量を求める測定部とを備えることである。
【発明の効果】
【０００８】
本発明によれば、画像精度低下の要因となる天板の撓み量を求めることができる。
【発明を実施するための最良の形態】
【０００９】
（第１の実施の形態）
本発明の第１の実施の形態について図１ないし図６を参照して説明する。
【００１０】
図１に示すように、本発明の第１の実施の形態に係る医用画像撮影装置１Ａは、患者等の被検体が載置される寝台２と、その寝台２上の被検体に対し、医用画像を撮影する撮影動作を行う撮影部３と、その撮影部３を駆動制御する情報処理装置４とを備えている。このような医用画像撮影装置１Ａとしては、例えば、被検体の医用画像を断層撮影するＸ線ＣＴ装置（Ｘ線断層撮影装置）が挙げられる。
【００１１】
寝台２は、被検体を載せる天板５と、その天板５を支持して水平方向及び鉛直方向に移動させる天板移動部６とにより構成されている。この寝台２は、天板移動部６により天板５を移動させ、天板５上の被検体を所定の位置に位置付ける。
【００１２】
天板５は、被検体を寝かして載せるため、例えば長方形状に形成されており、水平方向及び鉛直方向に移動可能に天板移動部６上に設けられている。この天板５の水平移動方向は、撮影部３に向かってせり出すせり出し方向（図１中の左方向）と、撮影部３から元の位置に戻る戻り方向（図１中の右方向）との２方向である。なお、せり出し方向は天板５が撮影部３に近づく近接方向であり、戻り方向は天板５が撮影部３から離反する離反方向である。
【００１３】
天板移動部６は、天板５を水平方向に移動可能に支持し、その天板５を水平方向に移動させる水平移動部６ａと、その水平移動部６ａを支持して鉛直方向に移動させる鉛直移動部６ｂとにより構成されている。特に、水平移動部６ａは、水平方向に移動する天板５を片持ち構造により支持するように形成されている。このような天板移動部６は、鉛直移動部６ｂにより天板５を鉛直方向に移動させ、さらに、水平移動部６ａにより天板５を水平方向、すなわちせり出し方向及び戻り方向に移動させる。
【００１４】
天板５の内部には、天板５の撓み量（たわみ量）Ｔに応じて抵抗値が変化する抵抗体７と、その抵抗体７に電気的に接続された外部接続部材８が設けられている。また、鉛直移動部６ｂの内部には、抵抗体７の抵抗値を測定する測定部９と、天板５の水平移動量及び鉛直移動量を検出する検出部１０とが設けられている。
【００１５】
抵抗体７は、線材により形成されており、天板５の内部に埋め込まれている。この抵抗体７は、図２に示すように、天板５の端部Ｈ１（図２中の右端部）から天板５の水平移動方向（長手方向）に沿って伸びる第１線部７ａと、折り返されてその水平移動方向に沿って伸び、第１線部７ａ対する離間距離が徐々に変化する第２線部７ｂとにより構成されている。すなわち、抵抗体７は、天板５の端部Ｈ１から対向する端部Ｈ２（図２中の左端部）に向かって天板５の水平移動方向に沿って伸び、その途中で折り返して元の端部Ｈ１まで伸びるように、天板５の平面に沿ってＶ字形状に設けられている。このとき、第１線部７ａと第２線部７ｂとの離間距離は、天板５の戻り方向に沿って徐々に広くなる。
【００１６】
抵抗体７としては、例えば、直径が０．１ｍｍ程度である細線を用いる。また、抵抗体７の材料としては、鉄やニクロム線等の伸びに応じて抵抗値が変化する材料、特に、抵抗値が伸び量に応じてほぼ線形に変化する材料を用いる。ここで、抵抗体７の伸び量は、天板５の撓み量Ｔと相関関係がある。天板５の撓み量（天板変位量）Ｔは、図３に示すように、抵抗体７の抵抗値に応じて変化する。したがって、天板５の撓み量Ｔが増加するほど、抵抗体７の伸び量が増えるので、抵抗体７の抵抗値は増加する。
【００１７】
外部接続部材８は、例えばコネクタ等であり、天板５内部の抵抗体７と天板５外部の測定部９とを電気的に接続するための部材である（図２参照）。この外部接続部材８は、天板５の端部Ｈ１に２つ設けられている。
【００１８】
測定部９は、抵抗体７に電気的に接続されており、抵抗体７の抵抗値を測定する（図２参照）。この測定部９としては、図２に示すように、例えばブリッジ回路等を用いる。このような測定部９は、天板５の水平移動に応じて移動する接続線９ａにより天板５の外部接続部材８に接続されている。ここで、抵抗体７はブリッジ回路のブリッジ抵抗（変位抵抗）として機能する。
【００１９】
検出部１０は、水平移動部６ａ及び鉛直移動部６ｂによる天板５の移動量、すなわち水平移動量及び鉛直移動量を検出する。この検出部１０としては、例えばエンコーダ等を用いる。このような検出部１０は、天板５の基準位置からの水平移動量及び鉛直移動量を検出する。
【００２０】
撮影部３は、Ｘ線を照射するＸ線照射部１１と、そのＸ線照射部１１に供給する高電圧を発生させる高電圧発生部１２と、Ｘ線照射部１１により照射されたＸ線を検出するＸ線検出部１３と、そのＸ線検出部１３により検出された投影データの収集を行うデータ収集部１４と、Ｘ線照射部１１及びＸ線検出部１３を対向させて支持する架台１５とにより構成されている。ここで、Ｘ線照射部１１から照射されたＸ線が通過する面がＸ線パス面Ｐ１である。このＸ線パス面Ｐ１での撓み量Ｔを得る必要がある。この撓み量Ｔは、加重（被検体の体重）と天板５の移動量（せり出し量）により決定される。
【００２１】
Ｘ線照射部１１は、Ｘ線を出射するＸ線管１１ａと、そのＸ線管１１ａから出射されたＸ線を絞るコリメータ１１ｂとを備えている。このＸ線照射部１１は、架台１５の内部に設けられている。このようなＸ線照射部１１は、Ｘ線管１１ａによりＸ線を出射し、そのＸ線をコリメータ１１ｂにより絞って、寝台２の天板５上の被検体に照射する。
【００２２】
高電圧発生部１２は、Ｘ線照射部１１の近傍に位置付けられ、架台１５の内部に設けられている。この高電圧発生部１２は、Ｘ線照射部１１に供給する高電圧を発生させる装置であり、情報処理装置４から与えられた電圧を昇圧及び整流し、その電圧をＸ線照射部１１に供給する。なお、情報処理装置４は、Ｘ線照射部１１に所望のＸ線を発生させるため、高電圧発生部１２に与える電圧の波形、すなわち振幅やパルス幅等の各種条件を制御する。
【００２３】
Ｘ線検出部１３は、Ｘ線照射部１１に対向させて架台１５の内部に設けられている。このＸ線検出部１３は、寝台２の天板５上の被検体を透過したＸ線から得られるＸ線投影情報を光学情報に変換し、その光学情報を電気信号に変換してデータ収集部１４に送信する。
【００２４】
データ収集部１４は、Ｘ線検出部１３の近傍に位置付けられ、架台１５の内部に設けられている。このデータ収集部１４は、Ｘ線検出部１３から送信された電気信号を投影データとして収集し、その投影データを情報処理装置４に送信する。
【００２５】
架台１５は、円筒状に形成されており、被検体の検査のために寝台２の天板５が挿入される貫通孔１５ａを有している。この架台１５は、貫通孔１５ａを挟むようにＸ線照射部１１及びＸ線検出部１３を対向させて支持しており、さらに、貫通孔１５ａの周囲を回転可能にＸ線照射部１１及びＸ線検出部１３を支持している。
【００２６】
情報処理装置４は、各部を駆動制御する制御部４ａ、投影データに基づいて画像再構成を含む画像処理を行う画像処理部４ｂ、医用画像等の各種データや各種プログラム等を格納する記憶部４ｃ、医用画像の位置補正を行う補正部４ｄ、操作者による入力操作を受け付ける操作部４ｅ及び画像を表示する表示部４ｆ等を備えている。これらの各部４ａ〜４ｆは、バスライン４ｇにより電気的に接続されている。
【００２７】
制御部４ａは、天板移動部６や高電圧発生部１２等の各部を駆動制御する。また、制御部４ａは、測定部９により測定された抵抗体７の抵抗値や検出部１０により検出された天板５の移動量（水平移動量及び鉛直移動量）を収集したり、あるいは、記憶部４ｃの医用画像を表示部４ｆに表示したりする。
【００２８】
画像処理部４ｂは、データ収集部１４から送信された投影データに対し、画像再構成を含む画像処理を行い、その後、医用画像を記憶部４ｃに保存する。この画像処理部４ｂとしては、例えばアレイプロセッサ等を用いる。
【００２９】
記憶部４ｃは、各種プログラムや各種データ等を記憶する記憶装置であって、特に、各種データとして、抵抗体７の抵抗値と天板５の撓み量（天板変位量）Ｔとの関係情報（図３参照）や撮影した医用画像等を記憶する記憶装置である。この記憶部４ｃとしては、例えば、ＲＯＭ、ＲＡＭ、フラッシュメモリ及びハードディスク等を用いる。
【００３０】
補正部４ｄは、求めた天板５の撓み量Ｔに基づいて、撮影部３により撮影された医用画像を位置補正する。例えば、補正部４ｄは、医用画像の再構成を行い、再構成後の医用画像に対して位置補正を行ったり、あるいは、医用画像の再構成を行うときに、医用画像の位置補正を行ったりする。この位置補正では、天板５の撓みに起因する医用画像の位置ずれ、例えば被検体の体軸の傾き等を補正する。
【００３１】
操作部４ｅは、操作者により入力操作される入力部である。この操作部４ｅとしては、例えば、キーボードやマウス等を用いる。操作者は、操作部４ｅを入力操作して、撮影部３による撮影を行ったり、あるいは、再構成後の複数の医用画像から希望する医用画像を選択表示させたりする。
【００３２】
表示部４ｆは、被検体の医用画像や操作画面等の各種の画像を表示する表示装置である。この表示部４ｆとしては、例えば、液晶ディスプレイやＣＲＴ（ブラウン管）ディスプレイ等を用いる。
【００３３】
次に、このような医用画像撮影装置１Ａが行う天板５の撓み量測定動作及び撮影動作について説明する。
【００３４】
天板５の撓み量測定動作において、まず、所定の荷重を有する人型状の物体が寝台２の天板５上に載置される。その後、医用画像撮影装置１Ａは、操作部４ｅに対する操作者の入力操作に応じて、物体が載置された天板５を天板移動部６によりせり出し方向に移動させながら、測定部９により抵抗体７の抵抗値を順次測定し、さらに、検出部１０により天板５の移動量を順次検出し、図３に示すような関係情報に基づいて、天板５の撓み量（Ｘ線パス面Ｐ１での撓み量）Ｔを順次求める。これにより、天板５の撓み量Ｔが天板５の移動に応じて順次求められ、天板５の移動量と関連付けて記憶部４ｃに記憶される。その結果、図４に示すように、天板５の移動量（天板移動量）と天板５の撓み量（天板変位量）Ｔとの関係が求められる。この撓み量測定動作が物体の荷重（５０ｋｇ、１００ｋｇ及び１５０ｋｇ）を変えて行われる。このようにして、図４に示すような天板５の撓み量情報が記憶部４ｃに保存される。
【００３５】
撮影動作において、医用画像撮影装置１Ａは、操作部４ｅに対する操作者の入力操作に応じて、被検体が載置された天板５を天板移動部６によりせり出し方向に移動させ、架台１５の貫通孔１５ａ内に挿入させ、天板５上の被検体をその体軸方向に移動させる。この天板５の移動とともに、医用画像撮影装置１Ａは、撮影部３のＸ線照射部１１及びＸ線検出部１３を天板５上の被検体の回りに沿って回転させながら、そのＸ線照射部１１により天板５上の被検体に対してＸ線ビームを照射し、Ｘ線検出部１３により、被検体を透過したＸ線ビームを検出する。その後、医用画像撮影装置１Ａは、Ｘ線検出部１３からの電気信号をデータ収集部１４により投影データとして収集し、その投影データを画像処理部４ｂにより処理し、処理後の医用画像を表示部４ｆに表示し、さらに、記憶部４ｃに保存する。
【００３６】
このとき、医用画像は、記憶部４ｃに記憶された天板５の撓み量情報（図４参照）に基づいて補正部４ｄにより位置補正されている。例えば、補正部４ｄは、画像処理部４ｂによる画像再構成後に、医用画像に対して位置補正を行ったり、あるいは、画像処理部４ｂによる画像再構成を行うときに、医用画像の位置補正を行ったりする。これにより、寝台２の天板５の撓みに起因する画像精度の低下を防止することができる。
【００３７】
また、医用画像は、図５及び図６に示すような断層画像として表示部４ｆに表示される。これらの断層画像から、抵抗体７の第１線部７ａと第２線部７ｂとの離間距離が広くなるか狭くなるかを視認し、天板５の進行方向を判断することが可能になる。これにより、画像から視覚的に天板５の進行方向を判断することができる。例えば、医用画像が図５に示す断層画像から図６に示す断層画像に変わっていくような場合には、第１線部７ａと第２線部７ｂとの離間距離が広くなっていくので、天板５の進行方向はせり出し方向であり、逆に、医用画像が図６に示す断層画像から図５に示す断層画像に変わっていくような場合には、第１線部７ａと第２線部７ｂとの離間距離が狭くなっていくので、天板５の進行方向は戻り方向であることがわかる。
【００３８】
なお、通常、天板５上の被検体がどちらの方向に進んでいるかを画像から視覚的に捕らえることは困難であり、天板５の移動量等を示す画像の付帯情報から判断しているが、医用画像に加え抵抗体７も表示することにより、抵抗体７の第１線部７ａと第２線部７ｂとの離間距離が広くなるか狭くなるかを視認することが可能になるので、医用画像から視覚的に天板５の進行方向を判断することができる。
【００３９】
以上説明したように、第１の実施の形態によれば、天板５の撓み量Ｔに応じて抵抗値が変化する抵抗体７を天板５に設け、その抵抗体７の抵抗値を測定する測定部９を設けることによって、抵抗体７の抵抗値が測定されるので、その抵抗値から画像精度の低下の要因となる天板５の撓み量Ｔを求めることができる。その結果として、天板５の撓み量Ｔに基づいて画像の位置補正を行い、正確な断層画像を得ることが可能になるので、寝台２の天板５の撓みに起因する画像精度の低下を防止することができる。特に、天板５の移動量に応じて変化する天板５の撓み量Ｔを求めることが可能になるので、天板５の移動量（天板移動量）と天板５の撓み量（天板変位量）Ｔとの関係を求め、その関係情報を画像の位置補正に用いることにより、画像精度を向上させることができる。
【００４０】
また、測定した抵抗値に対応する天板５の撓み量Ｔに基づいて、撮影部３により撮影された医用画像を位置補正する補正部４ｄを設けることによって、医用画像の位置補正が医用画像撮影装置１Ａにより自動的に行われるので、寝台２の天板５の撓みに起因する画像精度の低下を容易に防止することができる。
【００４１】
加えて、天板５は、水平方向に移動可能に形成されており、抵抗体７は、天板５の端部Ｈ１から天板５の移動方向に沿って伸びる第１線部７ａと、折り返されて天板５の移動方向に沿って伸び、第１線部７ａに対する離間距離が徐々に変化する第２線部７ｂとにより構成されていることから、第１線部７ａと第２線部７ｂとの離間距離が、連続する医用画像に応じて広くなるか狭くなるかを視認することにより、天板５の進行方向を判断することが可能になるので、医用画像から視覚的に天板５の進行方向を判断することができ、さらに、容易な進行方向判断が可能になるので、その判断ミスの発生を抑えることができる。
【００４２】
さらに、抵抗体７は、天板５の内部に設けられていることから、抵抗体７が天板５の外部から視認されることがなくなるので、美観を保つことができ、さらに、抵抗体７が露出することがなくなるので、塵や埃、液体等から抵抗体７を保護することができる。
【００４３】
（第２の実施の形態）
本発明の第２の実施の形態について図７を参照して説明する。本発明の第２の実施の形態では、第１の実施の形態と異なる部分について説明する。なお、第１の実施の形態で説明した部分と同一部分は同一符号で示し、その説明は省略する。
【００４４】
図７に示すように、本発明の第２の実施の形態に係る放射線治療装置１Ｂは、患者等の被検体が載置される寝台２と、その寝台２上の被検体に対し、放射線を照射する治療動作を行う治療部２１と、その治療部２１を駆動制御する情報処理装置４とを備えている。なお、第２の実施の形態の情報処理装置４は、画像処理部４ｂを備えていない。
【００４５】
治療部２１は、寝台２の天板５上の被検体に対して放射線を照射する放射線照射部２１ａと、その放射線照射部２１ａに供給する高電圧を発生させる高電圧発生部２１ｂと、放射線照射部２１ａを支持する支持アーム部２１ｃと、その支持アーム部２１ｃを回動可能に支持して回動させる支持移動部２１ｄとを備えている。ここで、放射線照射部２１ａから照射された放射線が通過する面が放射線パス面Ｐ２である。この放射線パス面Ｐ２での撓み量Ｔを得る必要がある。この撓み量Ｔは、加重（被検体の体重）と天板５の移動量（せり出し量）により決定される。
【００４６】
放射線照射部２１ａは、Ｘ線又は電子線の放射線を出射する放射源と、その放射源から出射された放射線を絞る絞り装置と（いずれも図示せず）を備えている。この放射線照射部２１ａは、支持アーム部２１ｃの先端部に固定されて設けられている。このような放射線照射部２１ａは、放射源により放射線を出射し、その放射線を絞り装置により絞って、寝台２の天板５上の被検体に照射する。
【００４７】
高電圧発生部２１ｂは、放射線照射部２１ａの近傍に位置付けられ、支持アーム部２１ｃの内部に設けられている。この高電圧発生部２１ｂは、放射線照射部２１ａに供給する高電圧を発生させる装置であり、情報処理装置４から与えられた電圧を昇圧及び整流し、その電圧を高電圧発生部２１ｂに供給する。
【００４８】
支持アーム部２１ｃは、例えばＬ字形状のアームであり、支持移動部２１ｄに回動可能に設けられている。この支持アーム部２１ｃは、そのアームの中心を回動中心として回動可能に形成されている。
【００４９】
支持移動部２１ｄは、支持アーム部２１ｃを回動可能に支持する支柱であり、その支持アーム部２１ｃを回動させる回動機構を備えている。この支持移動部２１ｄは、検査室の床面に固定されて設けられている。
【００５０】
次に、このような放射線治療装置１Ｂが行う治療動作について説明する。なお、放射線治療装置１Ｂが行う天板５の撓み量測定動作は第１の実施の形態と同様である。
【００５１】
治療動作において、放射線治療装置１Ｂは、操作部４ｅに対する操作者の入力操作に応じて、被検体が載置された天板５を天板移動部６によりせり出し方向に移動させ、放射線照射部２１ａに対向する位置に天板５上の被検体を位置付ける。その後、放射線治療装置１Ｂは、支持移動部２１ｄにより支持アーム部２１ｃを回動させ、放射線照射部２１ａを所望の位置に位置付け、その放射線照射部２１ａにより天板５上の被検体の所定部位に放射線を照射する。
【００５２】
このとき、治療計画画像として用いる医用画像は、記憶部４ｃに予め記憶されている。ここで、補正部４ｄは、医用画像を記憶部４ｃに記憶する前に、天板５の撓み量情報（図４参照）に基づいて医用画像に対して位置補正を行ったり、あるいは、記憶部４ｃに記録された医用画像を治療計画画像として用いるときに、その医用画像に対して位置補正を行ったりする。これにより、寝台２の天板５の撓みに起因する画像精度の低下を防止することができ、その結果として、希望する部位だけに放射線を正確に当てることが可能になり、治療精度を向上させることができる。
【００５３】
以上説明したように、第２の実施の形態によれば、第１の実施の形態と同様の効果を得ることができる。特に、寝台２の天板５の撓みに起因する画像精度の低下を防止することができ、その結果として、画像精度が高い断層画像を治療計画画像として用いることが可能になるので、治療精度を向上させることができる。特に、希望する部位だけに放射線を正確に当てることが可能になるので、治療精度の向上に加え、被検体の治療による負担を軽減することができる。
【００５４】
（他の実施の形態）
なお、本発明は、前述の実施の形態に限るものではなく、その要旨を逸脱しない範囲において種々変更可能である。
【００５５】
例えば、前述の実施の形態においては、抵抗体７を天板５の平面に平行にしてＶ字形状に設けているが、これに限るものではなく、例えば、図７に示すように、Ｕ字形状に設けるようにしてもよく、また、コの字形状に設けるようにしてもよく、さらに、一直線状に設けるようにしてもよい。
【００５６】
また、前述の実施の形態においては、第１線部７ａと第２線部７ｂとの離間距離を天板５の戻り方向に沿って徐々に広くなるようにしているが、これに限るものではなく、例えば、第１線部７ａと第２線部７ｂとの離間距離を天板５の戻り方向に沿って徐々に狭くなるようにしてもよい。
【００５７】
さらに、前述の実施の形態においては、片持ち構造の天板５を用いているが、これに限るものではなく、例えば、両持ち構造の天板を用いるようにしてもよい。この場合には、水平移動部６ａは、水平方向に移動する天板５を両持ち構造により支持するように形成されている。
【図面の簡単な説明】
【００５８】
【図１】本発明の第１の実施の形態に係る医用画像撮影装置の概略構成を示す模式図である。
【図２】図１に示す医用画像撮影装置が備える寝台の天板及び測定部の概略構成を示す模式図である。
【図３】抵抗体の抵抗値と天板変位量（撓み量）との関係を示す説明図である。
【図４】天板移動量と天板変位量（撓み量）との関係を示す説明図である。
【図５】図１に示す医用画像撮影装置が撮影した医用画像である断層画像の一例を示す模式図である。
【図６】図１に示す医用画像撮影装置が撮影した医用画像である断層画像の一例を示す模式図である。
【図７】本発明の第２の実施の形態に係る放射線治療装置の概略構成を示す模式図である。
【図８】図２に示す寝台の天板が備える抵抗体の一変形例を示す模式図である。
【符号の説明】
【００５９】
１Ａ      医用画像撮影装置
１Ｂ      放射線治療装置
２        寝台
３        撮影部
４ｄ      補正部
５        天板
７        抵抗体
７ａ      第１線部
７ｂ      第２線部
９        測定部
２１      治療部
Ｔ        撓み量
【図１】
2008036205.tif 000003
【図２】
2008036205.tif 000004
【図３】
2008036205.tif 000005
【図４】
2008036205.tif 000006
【図５】
2008036205.tif 000007
【図６】
2008036205.tif 000008
【図７】
2008036205.tif 000009
【図８】
2008036205.tif 000010